(57)【特許請求の範囲】
【請求項１】
箱形の本体に格納されたチャンバと、このチャンバの開口部を開閉する蓋と、この蓋の回動遊端部側から上記本体の上面カバーに向かって突出して設けられ、上記上面カバーに形成された孔を通じて上記本体内部に挿入され、上記本体内部に設けられたロック機構に係合して上記蓋を閉位置に維持するフックと、上記チャンバ内で回転するロータとを具備して構成された遠心分離機において、
上記チャンバ内でロータの回転中に破損事故が発生した場合に、上記本体に与えられる回転トルクに起因して上記蓋と本体との間に相対的な位置ずれを発生させ、この位置ズレにより上記フックに設けた係合部を、このフックを貫通させる孔の縁に係合させ、この係合によって蓋の開放事故を防止する構成としたことを特徴とする遠心分離機。
【請求項２】
請求項１に記載した遠心分離機において、上記係合部をフックに形成した膨大部によって構成したことを特徴とする遠心分離機。
【請求項３】
請求項１に記載した遠心分離機において、上記フックを長方形上の板状体によって構成し、この板状体によって構成したフックの長辺部に切欠を形成し、この切欠によって上記フックの先端側に膨大部を形成し、この膨大部によって上記係合部を構成したことを特徴とする遠心分離機。
【請求項４】
請求項１に記載の遠心分離機において、上記フックを長方形状の板状体によって構成し、この板上体によって構成したフックの板面に突起を形成し、この突起によって膨大部を構成し、この膨大部によって上記係合部を構成したことを特徴とする遠心分離機。
【請求項５】
請求項１に記載した遠心分離機において、棒状体をコ字状に折り曲げ、その両遊端部を上記蓋に固定し、コ字状の折曲連結部分を上記蓋の開閉面から突出させた係合部としたことを特徴とする遠心分離機
【請求項６】
請求項２に記載した遠心分離機において、上記上面カバーに形成する孔は上記膨大部の平面形状よりわずかに大きい形状に選定したことを特徴とする遠心分離機。
【請求項７】
請求項３に記載した遠心分離機において、上記上面カバーに形成する孔は上記板上のフックの短辺を貫通させる長孔と、この長孔の長手方向と直交する向に切欠いた凹部によって構成したことを特徴とする遠心分離機。
【請求項８】
請求項４に記載した遠心分離機において、上記上面カバーに形成する孔は上記板状のフックの短辺を貫通させる長孔と、この長孔と直交する向に切欠いて上記突起を挿通させる切欠によって構成したことを特徴とする遠心分離機。
【請求項９】
請求項５に記載した遠心分離機において、上記上面カバーに形成するフック挿入孔は上記棒状体をコ字状に折り曲げて形成される平面形状体を挿通する長孔と、この長孔の両端に長孔の長手方向と直交する向に突出して形状した凹部とによって構成したことを特徴とする遠心分離機。
【発明の詳細な説明】
【０００１】
【発明に属する技術分野】
この発明は各種の液体の成分を分離することに用いられる遠心分離機に関し、特に破損事故発生時の防護性能を高めることを目的とした発明である。
【０００２】
【従来の技術】
図１６に一般的な遠心分離機の構造を示す。一般的に遠心分離機は箱型の本体１１と、この本体１１の上面を閉塞する上面カバー１２と、上面カバー１２に形成された開口部に埋め込まれたチャンバ１３と、チャンバ１３の内部に配置されたロータ１４と、チャンバ１３の開口部を開閉する蓋１５と、蓋１５を上面カバー１２に回動自在に支持する蝶番１６と、蓋１５の回動遊端側から本体１１の方向に突出して設けられた一対のフック１７と、このフック１７と係合して蓋１５を閉位置にロックするロック機構１８とによって構成される。
【０００３】
フック１７は一般に金属の板状体によって形成され、その先端側にロック用の孔１７Ａが形成され、このロック用孔１７Ａにロック機構１８に用意されたロックカムが係合して蓋１５を閉位置にロックする。
ロック機構１８の一例を図１７と図１８に示す。フック１７は上面カバー１２に形成されたフック挿入孔１９を通じて本体１１の内部に挿入されロック機構１８に近づく、ロック機構１８は例えば図１７に示すようにＵ字形状のロックカム１８Ａと、このロックカム１８Ａに形成した凹欠Ａに係合してロックカム１８Ａの回動をロックするラッチ１８Ｂと、このラッチ１８Ｂを回動操作するソレノイド１８Ｃとによって構成される。
【０００４】
フック１７が降下してくると、フック１７の下端がロックカム１８Ａの一方の回動遊端部Ｂに係合し、この回動遊端子Ｂを下向に押すことによりロックカム１８Ａは軸Ｄを中心に図１７に示す例では反時計廻り方向に回動する。
ロックカム１８Ａが回動することにより、ロックカム１８Ａの他方の回動遊端部Ｃがフック１７に形成されたロック用孔１７Ａに侵入する。回動遊端部Ｃがロック用孔１７Ａに完全に挿入されると、ロックカム１８Ａに形成した凹欠Ａにラッチ１８Ｂが係合し、ロックカム１８Ａは回動が阻止されロック状態となる。
【０００５】
蓋１５を開けるにはソレノイド１８Ｃを励磁し、ラッチ１８Ｂを図１７に示す例では反時計廻り方向に回動させることにより、ラッチ１８Ｂをロックカム１８Ａの凹欠Ａから外すことにより、ロックカム１８Ａは自由となり、蓋１５を開けることができる。
従来は図１７及び図１８で説明したような自動ロック機構１８により蓋１５の閉状態を維持し、例えばロータ１４が回転中はソレノイド１８Ｃを励磁できない回路構造にすることにより、ロータ１４が回転中には蓋１５が開けられない構造としている。
【０００６】
ところで従来より遠心分離機の分野では、分離性能を高めるためにロータ１４の回転速度を高めることが目標とされ、ロータ１４の回転速度は高速化されている。
一方、ロータ１４の回転速度が高速化されるに伴ってロータ１４に搭載した容器等が破損する事故が起きやすい状況となった。高速回転中に破損事故が発生すると、その破損した物体がチャンバ１３の内壁に衝突し、チャンバ１３を破損させ、さらにはロック機構１８をも破損させて蓋１５が開き、破片等が外部に飛散し、大きな事故に繋がる恐れがある。
【０００７】
また破損事故の発生により起き得る他の現象として破損した物体がチャンバ１３の内壁に衝突した場合、本体１１にはロータ１４の回転方向と同じ方向、例えば図１６に示す例では矢印Ｐ方向に回転トルクが与えられ、本体１１はロータ１４の回転軸を中心に回転しようとし、本体１１の姿勢の変化によって蓋が慣性によって開放され、大きな事故になる恐れもある。
【０００８】
このため例えば「実開平４−１０６６４４号公報」に開示されているように、遠心分離機の蓋の自動ロック機構（図１７及び図１８で説明したロック機構と同じ）に加えて手動で操作する手動ロック手段を付加し、この手動ロック手段を解除しない限り蓋が開かない構造とした遠心分離機が見られる。
【０００９】
【発明が解決しようとする課題】
この公報に記載された手動ロック手段は確かに破損事故の発生を想定した場合に有効である。然し乍ら、通常の使用に当たっては蓋の開閉毎にその都度手動ロック手段を操作しなければならないため、使い勝手が著しく低下する。
現状では破損事故の発生を極力抑える試みが各種なされており、破損事故の発生率は極めて低い。従って極力発生が抑えられている破損事故のために、使い勝手を著しく低下させてしまうことは利用者にとって望ましい姿ではない。
【００１０】
この発明の目的は通常の利用に当たっては極力操作性を向上させると共に、仮に破損事故が発生したとしても、確実に蓋の開放事故につながらないようにし、操作性と信頼性を兼ね備えた遠心分離機を提供しようとするものである。
【００１１】
【課題を解決するための手段】
この発明の請求項１では、箱形の本体に格納されたチャンバと、このチャンバの開口部を開閉する蓋と、この蓋の回動遊端部側から本体の上面カバーに向かって突出して設けられ、上面カバーに形成されたフック挿入孔を通じて本体内部に挿入され、本体内部に設けられたロック機構に係合して蓋を閉位置に維持するフックと、チャンバ内で回転するロータとを具備して構成された遠心分離機において、
チャンバ内でロータの回転中に破損事故が発生した場合に、本体に与えられる回転トルクに起因して蓋と本体との間に相対的な位置ずれを発生させ、この位置によりフックに設けた係合部を、このフックを貫通させるフック挿入孔の縁に係合させ、この係合によって蓋の開放事故を防止する構成とした遠心分離機を提案する。
【００１２】
この発明の請求項２では、請求項１に記載した遠心分離機において、係合部をフックに形成した膨大部によって構成した遠心分離機を提案する。
この発明の請求項３では、請求項１に記載した遠心分離機において、フックを長方形上の板状体によって構成し、この板状体によって構成したフックの長辺部に切欠を形成し、この切欠によってフックの先端側に膨大部を形成し、この膨大部によって係合部を構成した遠心分離機を提案する。
【００１３】
この発明の請求項４では、請求項１に記載の遠心分離機において、フックを長方形状の板状体によって構成し、この板上体によって構成したフックの板面に突起を形成し、この突起によって膨大部を構成し、この膨大部によって係合部を構成した遠心分離機を提案する。
この発明の請求項５では、請求項２に記載した遠心分離機において、上面カバーに形成するフック挿入孔は膨大部の平面形状よりわずかに大きい形状に選定した遠心分離機を提案する。
【００１４】
この発明の請求項６では、請求項３に記載した遠心分離機において、上面カバーに形成するフック挿入孔は板状のフックの短辺を貫通させる長孔と、この長孔の長手方向と直交する向に切欠いた凹部とによって構成した遠心分離機を提案する。
この発明の請求項７では、請求項４に記載した遠心分離機において、上面カバーに形成するフック挿入孔は板状のフックの短辺を貫通させる長孔と、この長孔と直交する向に切欠いてフックの板面に突設した突起を挿通させる切欠によって構成した遠心分離機を提案する。
【００１５】
【作用】
この発明による遠心分離機によれば、通常の利用状態ではフックに形成した係合部は上面カバーに形成したフック挿入孔を自由に出入りできるため、蓋は自動ロック機構により閉位置を維持し、開く場合もロック解除操作により自動的にロックが解除される。従って、取り扱いは容易であり、使い勝手は極めて良好である。
【００１６】
これに対し、ロータが回転中にチャンバ内で破損事故が発生した場合には、破損した物体がチャンバの内壁に衝突する。この衝突によりチャンバを介して本体に回転トルクが与えられる。この結果本体は回転トルクによって回転しようとする。このとき蓋は静止状態を維持しようとするから、本体と蓋との間にロータの回転軸を中心とする回転方向に位置ずれを発生させようとする。
【００１７】
この位置ずれが発生することにより蓋を閉位置に維持しているフックが、このフックを貫通させているフック挿入孔の中で位置ずれを発生させ、この位置ずれにより、フックに形成した係合部がフック挿入孔の縁に係合し、フックがフック挿入孔から抜け出ることを阻止する。この結果、蓋は開くことを阻止され、閉じた状態を維持する。
【００１８】
このように、この発明によれば通常の利用状況では全く操作性に影響を与えないものの、万一破損事故が発生した場合にはフックに形成した係合部が上面カバーに形成したフック挿入孔の縁に係合し、蓋が開くことを阻止する。従って操作性と信頼性の双方を兼ね備えた優れた遠心分離機を提供することができる。
【００１９】
【発明の実施の形態】
図１にこの発明による遠心分離機の一実施例を示す。図１６と対応する部分には同一符号を付して示す。この発明の特徴とする構造は蓋１５に突設したフック１７の形状と、このフック１７を挿入するフック挿入孔１９の形状に存在する。
図１に示す実施例ではフック１７を長方形状の金属板によって構成し、この長方形の金属板の長辺部分に切欠１７Ｂを形成し、この切欠１７Ｂの形成によって係合部２１を形成した場合を示す。
【００２０】
係合部２１は図３に拡大して示すように切欠１７Ｂの形成によって狭隘部２２を形成し、この狭隘部２２よりフック１７の先端側に膨大部２３を形成し、この膨大部２３の突出部分を係合部２１として利用する場合を示す。
蓋１５が正常な姿勢にある間はフック１７はフック挿入孔１９の中心位置に存在する。従って、通常の使用状態では図１６及び図１７で説明したロック機構１８によって蓋１５は閉じた状態を維持し、開く場合もソレノイド１８Ｃを励磁し、ロック状態を解除するだけの操作で蓋１５を開けることができる。
【００２１】
一方、チャンバ１３内で破損事故が発生し、本体１１に回転力が与えられて本体１１が回転運動（４０゜〜９０゜程度）を始めると、蓋１５は本体１１の動きに対して静止状態を維持しようとする。この結果フック１７はフック挿入孔１９の内部でこの実施例ではフック挿入孔１９の長手方向と直交する方向に変位し、狭隘部２２が凹部１９Ａに入り込み、係合部２１を上面カバー１２の裏側に係合させる。この場合、係合部２１を例えば上面カバー１２の裏側の面に摩擦係合させることにより係合部２１が上面カバー１２との係合状態から外れることはなく、蓋１５が開放される事故を確実に防ぐことができ、ロータ１４を回転させているモータが停止さえすれば安全な状態となる。
【００２２】
尚、係合部２１が上面カバー１２の裏側に摩擦係合して蓋１５が開けられない事態になっても、この状態ではチャンバ１３の内部は破損しているから分析結果を見ることはできない。むしろ蓋１５が利用者の手によって簡単に開けられない方が安全である。
図５乃至図１４にフック１７の形状と、フック挿入孔１９の各種の形状を示す。図２及び図３に示した実施例ではフック挿入孔１９の長手方向の両側に凹部１９Ａを形成した場合を示したが、破損事故発生時に本体１１が回転する方向が明らかである場合は図５と図６に示すように、凹部１９Ａを何れか一方に形成すればよい。この場合、上面カバー１２に形成される一対（正面から向かって左右の一対）のフック挿入孔１９の形状は同一方向に凹部１９Ａが形成された形状となる。
【００２３】
図７はフック１７の変形例を示す。この例では板状のフック１７の板面にピンを貫通保持させ、このピンによって係合部２１を構成した場合を示す。このフック１７の形状の場合はフック挿入孔１９は図８に示すように凹部１９Ａはピンが通過できる形状でよいから図２に示した凹部１９Ａより細く形成し、ほぼ十字形状とされる。
【００２４】
図９はフック１７の他の形状の例を示す。この例では板状のフック１７の板面から突出する方向に突起を形成し、この突起によって係合部２１を形成した場合を示す。
図９に示す例ではフック１７の長辺の一方と他方の双方から互いに逆向きに係合部２１を突出させた場合を示す。
【００２５】
図９に示したフック１７の形状の場合は、フック挿入孔１９は図１０に示すように、フック挿入孔１９の長手方向の両端に互いに逆向きに凹部１９Ａを形成すればよい。
図１１は図９に示した係合部２１を逆向きに突出させた場合に適用するフック挿入孔の形状を示す。
【００２６】
図１２はフック１７の更に他の例を示す。この例ではフック１７を構成する長方形状の板の両側に板面と平行する方向に突起を形成し、この突起によって係合部２１を形成した場合を示す。この形状のフックの場合はフック挿入孔１９は図２に示した形状、或いは図５、図６に示した形状の何れでもよい。
図１３はフック１７の更に他の例を示す。この例ではフック１７にフランジ状の係合部２１を空設した場合を示す。この形状の係合部２１を用いる場合にはフック挿入孔１９は図１４に示すようにフランジ状の係合部２１の形状よりわずかに大きい程度の孔でよく、図２、図５、図６、図８、図１０、図１１に示した凹部１９Ａを必要としない点が特徴となる。
【００２７】
図１５はフック１７とフック挿入孔１９の更に他の実施例を示す。この例では例えば丸棒状の棒状体をコ字状に折曲形成し、コ字状に折り曲げた両遊端部を蓋１５の開閉面に植設して固定し、コ字状に折り曲げた折曲連結部分Ｊを係合部２１として利用する構造とした場合を示す。
この場合のフック挿入孔１９をコ字状に折り曲げて形成される平面形状体を挿通させる長孔の両端に長孔の長手方向と直交する向に凹部１９Ａを形成して構成することができる。図１５に示す例では凹部１９Ａを長孔の長手方向に対して両方向に形成し、蓋１５が何れの方向に位置ずれしても係合部２１が上面カバー１２の裏側に係合できる構造とした場合を示す。
【００２８】
【発明の効果】
以上説明したように、この発明によれば日常の使用に当たっては従来と同様に蓋１５を開ける際はソレノイド１８Ｃを励磁し、ロック機構１８のロックを解除するだけの操作で蓋１５を開けることができる。従って日常の操作性は極めて良好である。
【００２９】
然るに、万一チャンバ１３の内部でロータ１４が回転している状態で破損事故が発生した場合には、本体１１に回転力が与えられることによりフック１７に形成した係合部２１が上面カバー１２に形成したフック挿入孔１９の縁、特に上面カバー１２の裏側に係合し、この係合によってフック１７がフック挿入孔１９から抜け出ることを阻止される。
【００３０】
この結果、破損事故直後から蓋１５は閉止状態となり、ロータ１４が回転している状態で蓋１５が開いてしまう事故を防止することができる。従って、操作性を犠牲にすることなく安全性を高めることができ、実用上その効果は頗る大である。
【図面の簡単な説明】
【図１】この発明による遠心分離機の一実施例を説明するための斜視図。
【図２】この発明の要部の構造を説明するための斜視図。
【図３】図１と図２に示した実施例に用いたフックの一実施例を説明するための側面図。
【図４】この発明の要部の動作状況を説明するための斜視図。
【図５】この発明に用いるフック挿入孔の変形側を説明するための平面図。
【図６】図５と同様の図。
【図７】この発明に用いるフックの変形例を説明するための斜視図。
【図８】図７に示したフックの形状に適用するフック挿入孔の例を説明するための平面図。
【図９】この発明に用いるフックの更に他の例を説明するための斜視図。
【図１０】図９に示したフックに適用するフック挿入孔の形状を説明するための平面図。
【図１１】図１０に示したフック挿入孔の変形例を示す平面図。
【図１２】この発明に用いるフックの更に他の例を示す斜視図。
【図１３】この発明に用いるフックの更に他の例を示す斜視図。
【図１４】図１３に示したフックを適用するフック挿入孔の形状を説明するための平面図。
【図１５】この発明の更に他の実施例を示す傾視図。
【図１６】従来の遠心分離機を説明するための斜視図。
【図１７】従来の遠心分離機に用いられているロック機構を説明するための側面図。
【図１８】図１７を上部から見た平面図。
【図１】
0004150138.tif 000002
【図２】
0004150138.tif 000003
【図３】
0004150138.tif 000004
【図４】
0004150138.tif 000005
【図５】
0004150138.tif 000006
【図６】
0004150138.tif 000007
【図７】
0004150138.tif 000008
【図８】
0004150138.tif 000009
【図９】
0004150138.tif 000010
【図１０】
0004150138.tif 000011
【図１１】
0004150138.tif 000012
【図１２】
0004150138.tif 000013
【図１３】
0004150138.tif 000014
【図１４】
0004150138.tif 000015
【図１５】
0004150138.tif 000016
【図１６】
0004150138.tif 000017
【図１７】
0004150138.tif 000018
【図１８】
0004150138.tif 000019